(57)【特許請求の範囲】
【請求項１】
各患者が医療従事者を呼び出すために用いるナースコール子機と、前記ナースコール子機により呼び出しが行われたことを報知するナースコール親機とを備えたナースコールシステムであって、
前記ナースコール子機は、前記各患者の居る病床の近傍に設置され、その病床の周囲の音声を入力して音声信号に変換する子機マイクロホンと、前記子機マイクロホンにて変換された音声信号に他のナースコール子機と識別するための子機識別情報を付加する子機制御部と、前記音声信号を出力する子機インターフェースとを備え、
前記子機マイクロホンにて入力された音声信号の音声レベルが所定のレベル以上であるか否かを判定し、所定のレベル以上であると判定された音声信号を出力したナースコール子機の音声信号をナースコール親機へ出力する音声レベル判定装置と、
前記ナースコール親機は、前記子機インターフェースおよび前記音声レベル判定装置に接続され、前記音声信号を入力する親機インターフェースと、前記親機インターフェースに接続されているナースコール子機の中から任意のナースコール子機を複数選択するために操作される選局部と、前記親機インターフェースが入力した音声信号を音声として出力する親機スピーカーと、複数のナースコール子機を識別可能に表示する表示部と、前記選局部により選択された複数のナースコール子機から出力された音声信号を前記親機インターフェースにより順次入力して前記親機スピーカーによって音声を所定の時間間隔で出力させるとともに、その音声信号に含まれる子機識別情報によりナースコール子機を特定して前記表示部に所定の時間間隔で表示させる第一の制御と、前記親機インターフェースが前記音声レベル判定装置から出力された音声信号を入力した場合に、前記第一の制御に割り込みをかけて、前記親機スピーカーによって音声を出力させるとともに、その音声信号に含まれる子機識別情報によりナースコール子機を特定して前記表示部に表示させる第二の制御と、前記第二の制御の終了後に、前記割り込みをかけられたナースコール子機またはその次のナースコール子機から前記第一の制御を再開する第三の制御を行う親機制御部とを備えたことを特徴とするナースコールシステム。
【発明の詳細な説明】
【技術分野】
【０００１】
本発明は、患者から看護師などの医療従事者の呼び出しを行うナースコールシステムに関し、特に、医療従事者が患者の状態を確認するための聴取機能を備えたナースコールシステムに関する。
【背景技術】
【０００２】
一般的に、ナースコールシステムは、呼出操作部を有するナースコール子機を各病室内の各病床の近傍に設置するとともに、看護師などの医療従事者が常駐するナースステーションにナースコール親機を設置している。そして、患者がナースコール子機の呼出操作部を操作した場合に、ナースコール子機からナースコール親機へ呼出信号を出力し、呼出信号を入力したナースコール親機にて呼び出しの報知を行うように構成されている。ここで、ナースコールシステムは、病院だけではなく、介護施設などでも使用される。
【０００３】
ナースコール親機には、ＬＥＤ（light-emitting  diode）などのランプと患者氏名を表示する表示欄とを備えた選局部を患者の数に応じて組み合わせたボード形状のものが知られている。ボード形状のナースコール親機は、ナースステーションの壁面などに取り付けられ、ナースステーション内の医療従事者がボード形状のナースコール親機に表示された情報を閲覧することが可能である。ここで、ナースコール子機から出力された呼出信号を入力したナースコール親機では、呼出信号に含まれ、ナースコール子機を識別するための子機識別情報により呼び出しを行ったナースコール子機を特定する。そして、特定されたナースコール子機を使用している患者に対応する選局部のランプを点灯または点滅させることで呼び出しの報知を行っている。また、呼び出しの報知は、選局部のランプの点灯／点滅だけではなく、スピーカーから出力される音声によっても行われる。
【０００４】
このように、ナースコール親機にて呼び出しの報知が行われると、これに気付いた医療従事者が応答する必要がある。そのため、ナースコール親機には、呼び出しの報知に応答するためのハンドセットが設けられている。呼び出しの報知が行われている場合に、医療従事者がハンドセットをオフフックすると、呼び出しの報知が停止し、ナースコール親機とナースコール子機（またはナースコール子機が設置された病室）との間で通話路が形成される。ここで、ナースコール子機（または病室）には、通話用のスピーカーやマイクロホンが設けられているため、患者と医療従事者との間で通話が可能となる。
【０００５】
ところで、ナースコール子機とナースコール親機との間で通話が可能であることを利用して、任意のナースコール子機または全てのナースコール子機を選択して、選択したナースコール子機に設けられているマイクロホンから入力した音声を、ナースコール親機に設けられているスピーカーから出力することで、患者の状態を聴取する技術が知られている（例えば、特許文献１など）。この特許文献１に記載の技術によれば、病床選択ボタンにより選択された病床のナースコール子機を順次切り換えて、ナースコール子機から入力した音声をナースコール親機のスピーカーから出力するようにしている。
【０００６】
一方、病室内の患者が大声などを出した場合に、その音声を天井に設置したマイクロホンに入力し、入力した音声があるレベル以上であるときに、病室内とナースコール親機との間で通話路を形成することで、医療従事者が病室内の患者の状態を確認できるようにする技術も知られている（例えば、特許文献２など）。なお、マイクロホンに入力した音声のレベルがあるレベル以上である場合に、ナースコール子機が呼出信号をナースコール親機へ出力する技術も知られている。
【先行技術文献】
【特許文献】
【０００７】
【特許文献１】特開２００６−１２９２２９号公報
【特許文献２】特開２００１−１２７８９３号公報
【発明の概要】
【発明が解決しようとする課題】
【０００８】
しかしながら、特許文献１に記載の技術では、病床選択ボタンにより選択された病床のナースコール子機を順次切り換えて、ナースコール子機から入力した音声をナースコール親機のスピーカーから出力しているので、実際に聴取が行われているナースコール子機以外のナースコール子機を使用している患者が大声を出した場合などには、医療従事者は、聴取を行っているにも関わらず患者の状態の変化に気付くことができないという問題があった。
【０００９】
一方、特許文献２に記載の技術を含む従来技術では、天井に設置したマイクロホンに入力した音声があるレベル以上である場合に、病室内とナースコール親機との間で通話路を形成したり、ナースコール親機にて報知を行ったりしているので、医療従事者がナースコール親機の近傍に居ない場合には、医療従事者が患者の状態の変化に気付くことができないという問題があった。ここで、ナースコール親機の機能を有する携帯端末を医療従事者に携行させることで、携帯端末による報知を医療従事者に把握させることは可能である。
【００１０】
しかしながら、病室内と携帯端末との間で通話路を形成しても、携帯端末が大音量で音声を出力していない場合には、医療従事者が携帯端末から出力される音声に気付くことが無いため現実的ではないという問題があった。また、患者が大声を出した場合などに、いちいち携帯端末が報知を行ってしまうと、他の業務を行っている医療従事者の業務を妨げるケースが生じてしまうという問題があった。
【００１１】
本発明は、このような問題を解決するために成されたものであり、医療従事者が患者の状態を確認しようとして聴取を行っている場合に、各患者の状態をできるだけ長時間に渡って確認できるようにすることを目的とする。
【課題を解決するための手段】
【００１２】
上述した課題を解決するために、本発明では、選択された複数のナースコール子機を順次切り換えて、ナースコール子機のマイクロホンから入力した音声をナースコール親機のスピーカーから出力するとともに、そのナースコール子機を特定可能に表示するようにしている。このとき、スピーカーから音声の出力が行われていないナースコール子機のマイクロホンに入力している音声のレベルを判定し、その音声のレベルが所定のレベル以上である場合に、選択された複数のナースコール子機からの音声の出力および表示に割り込みをかけて、音声のレベルが所定のレベル以上となったナースコール子機から入力した音声をナースコール親機のスピーカーから出力するとともに、そのナースコール子機を特定可能に表示し、終了後に割り込みをかけられたナースコール子機または次のナースコール子機から音声の出力および表示を再開するようにしている。
【発明の効果】
【００１３】
上記のように構成した本発明によれば、選択された病床のナースコール子機を順次切り換えて、ナースコール子機から入力した音声をナースコール親機のスピーカーから出力する際に、他のナースコール子機にて所定のレベル以上の音声が入力されると、そのナースコール子機のマイクロホンから入力した音声がナースコール親機のスピーカーから出力される。これにより、医療従事者が患者の状態を確認しようとしている聴取中については、医療従事者は聴取の対象となる全ての患者の状態の変化に気付くことができる。従って、聴取中に、医療従事者が各患者の状態をできるだけ長時間に渡って確認することができる。
【図面の簡単な説明】
【００１４】
【図１】本実施形態によるナースコールシステムの構成例を示すブロック図である。
【図２】本実施形態によるナースコールシステムのナースコール親機の選局部の例を示す図である。
【発明を実施するための形態】
【００１５】
以下、本発明の一実施形態を図面に基づいて説明する。図１は、本実施形態によるナースコールシステムの構成例を示すブロック図である。図１に示すナースコールシステムは、患者の病床近傍に設置され、病室内に居る患者によって使用されるナースコール子機１と、医療従事者が常駐するナースステーションなどに設置され、医療従事者によって使用されるナースコール親機１０とを備えて構成されている。ここで、ナースコール子機１は、各病室内に病室内の病床数に応じて設置されている。
【００１６】
また、ナースコール子機１は、子機制御部２、呼出操作部３、子機マイクロホン４、子機スピーカー５、音声レベル判定部（特許請求の範囲の音声レベル判定装置に該当）６、子機インターフェース７を備えて構成されている。また、ナースコール親機１０は、親機制御部１１、親機インターフェース１２、記憶部１３、操作部１４、報知部１５、親機マイクロホン１６、親機スピーカー１７、選局部１８を備えて構成されている。
【００１７】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。患者は、医療従事者を呼び出したい場合に、呼出操作部３を操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報を用いる。
【００１８】
子機マイクロホン４は、周囲の音声を入力して音声信号に変換する。子機スピーカー５は、ナースコール親機１０から入力した音声信号を復調して音声として拡声出力する。ここで、子機マイクロホン４および子機スピーカー５は、子機制御部２により動作の有無が制御される。
【００１９】
子機制御部２は、ナースコール親機１０から自装置の子機識別情報を含む聴取対象信号を入力したか否かを判定する。そして、自装置の子機識別情報を含む聴取対象信号を入力したと子機制御部２にて判定した場合には、子機制御部２は、子機マイクロホン４を動作させる。ここで、聴取対象信号は、聴取対象信号に含まれる子機識別情報によって特定されるナースコール子機１が聴取の対象になっていることを通知するためのものである。
【００２０】
このように子機マイクロホンが動作している状態で、音声レベル判定部６は、子機マイクロホン４にて変換された音声信号を入力し、その音声信号のレベルが所定のレベル以上であるか否かを判定する。そして、入力した音声信号のレベルが所定のレベル以上であると音声レベル判定部６にて判定された場合には、音声レベル判定部６は、その音声信号に割り込み情報を付加して子機制御部２へと出力する。子機制御部２は、音声レベル判定部６から割り込み情報が付加された音声信号を入力し、自装置の子機識別情報を付加して子機インターフェース７へ出力する。従って、この音声信号には、割り込み情報および子機識別情報が付加されていることになる。一方、入力した音声信号のレベルが所定のレベル未満であると音声レベル判定部６にて判定された場合には、音声レベル判定部６は、その音声信号を子機制御部２へ出力しない。
【００２１】
ここで、所定のレベルは、患者が大声を出した場合などの患者が異常な状態であることを示す音声信号の閾値に該当する。また、割り込み情報は、ナースコール親機１０にて複数のナースコール子機１の聴取が順番に行われている場合に、割り込みを行うためのものである。
【００２２】
子機制御部２は、ナースコール親機１０から自装置の子機識別情報を含む聴取対象信号を入力している状態で、ナースコール親機１０から自装置の子機識別情報を含む聴取信号を入力したか否かを判定する。そして、自装置の子機識別情報を含む聴取信号を入力したと子機制御部２にて判定した場合には、子機制御部２は、音声レベル判定部６を制御して、子機マイクロホン４から出力された音声信号をそのまま入力する。そして、子機制御部２は、音声レベル判定部６から入力した音声信号に自装置の子機識別情報を付加して子機インターフェース７へ出力する。従って、この音声信号には、子機識別情報のみが付加されていることになる。
【００２３】
ここで、聴取信号は、聴取信号に含まれる子機識別情報によって特定されるナースコール子機１に対して実際に聴取が行われていることを通知するためのものである。また、子機制御部２が聴取信号を入力しなくなった場合には、子機制御部２は、音声レベル判定部６から入力した音声信号の子機インターフェース７への出力を停止する。
【００２４】
子機インターフェース７は、ナースコール子機１とナースコール親機１０とを接続して通信を行うためのものである。ここで、子機インターフェース７は、子機制御部２により生成された呼出信号をナースコール親機１０に出力する。また、子機インターフェース７は、子機制御部２から入力した音声信号をナースコール親機１０へ出力する。また、子機インターフェース７は、子機制御部２から入力した割り込み情報が付加された音声信号をナースコール親機１０へ出力する。
【００２５】
ナースコール子機１とナースコール親機１０との間には、ナースコール子機１からの呼び出しを表示したり、病室内の患者の氏名などを表示したりする図示しない廊下灯が接続されている。また、ナースコール子機１とナースコール親機１０との間には、ナースコール子機１およびナースコール親機１０間の通信に関する制御を行う図示しない制御機が接続されている。
【００２６】
次に、ナースコール親機１０の各構成要素について説明する。親機制御部１１は、ナースコール親機１０の各構成要素を後述するように制御するためのものであり、ＣＰＵなどにより構成されている。親機インターフェース１２は、ナースコール親機１０とナースコール子機１とを接続して通信を行うためのものである。
【００２７】
ここで、親機インターフェース１２は、ナースコール子機１から出力された呼出信号を入力する。また、親機インターフェース１２は、ナースコール子機１から出力された各種の音声信号を入力する。ここで、親機インターフェース１２が各ナースコール子機１から音声信号を入力した場合に、親機制御部１１は、その音声信号に付加されている子機識別情報を解析することにより、その音声信号がどのナースコール子機１から出力されたのかを識別している。
【００２８】
記憶部１３は、メモリやハードディスクドライブなどの記憶装置により構成されており、ナースコール親機１０に接続されているナースコール子機１の子機識別情報と後述する選局部１８における選局ユニット２０の位置を示す位置情報とを関連付けて記憶している。操作部１４は、聴取を開始するために操作されるものである。
【００２９】
報知部１５は、ナースコール子機１からの呼び出しを報知するためのものであり、スピーカーや表示装置などによって構成されている。親機インターフェース１２がナースコール子機１から呼出信号を入力すると、親機制御部１１は報知部１５を動作させて、スピーカーから報知音を出力させたり、表示装置に報知の内容を表示させたりして報知を行わせる。報知部１５によって報知が行われている場合に、医療従事者が図示しないハンドセットなどによって応答すると、ハンドセットがオフフックされてナースコール親機１０とナースコール子機１との間で通話路が形成される。
【００３０】
親機マイクロホン１６は、周囲の音声を入力して音声信号に変換する。親機スピーカー１７は、ナースコール子機１から入力した音声信号を復調して音声として拡声出力する。ここで、親機マイクロホン１６および親機スピーカー１７は、親機制御部１１により動作の有無が制御される。
【００３１】
選局部１８は、図２に示すように、患者にそれぞれ対応する選局ユニット２０を縦横に組み合わせて形成されている。各選局ユニット２０には、その患者が使用するベッド番号を表示するベッド番号表示欄２１と、表面に少なくとも患者の氏名を記載した氏名カードを着脱自在に装着する氏名カード装着部２２と、選局ユニット２０を選択するために操作されるとともに、透光性を有する選択ボタン、および、選択ボタンの内部に取り付けたＬＥＤなどのランプを有する選択部２３とを備えて構成されている。
【００３２】
ここで、選択部２３のランプは、報知部１５の報知と同期して点滅することにより、患者から呼び出しがあったことを報知する。また、記憶部１３には、呼出信号や音声信号に含まれる子機識別情報に関連付けて選局ユニット２０の位置情報が記憶されているので、呼び出しを行った患者に対応する選局ユニット２０に設置されている選択部２３のランプのみが点滅したり、聴取を行っているナースコール子機１に対応する選局ユニット２０に設置されている選択部２３のランプのみが点灯したりする。
【００３３】
従って、ランプが点滅すると、そのランプに対応するベッド番号表示欄２１や氏名カード装着部２２に装着された氏名カードを見た医療従事者は、どの患者が呼び出しを行ったのかを容易に把握することができる。また、ランプが点灯すると、そのランプに対応するベッド番号表示欄２１や氏名カード装着部２２に装着された氏名カードを見た医療従事者は、どのナースコール子機１の聴取を行っているのかを容易に把握することができる。
【００３４】
次に、聴取を行う際の動作を説明する。ナースコール親機１０の親機制御部１１は、選局部１８の選択部２３が操作されたか否かを判定する。医療従事者は、聴取を行いたい患者を、選択部２３を操作することで選択する。なお、全ての患者を一斉に選択するための一斉選択部を設けるようにしても良い。
【００３５】
この状態で、親機制御部１１は、操作部１４により聴取開始の操作が行われたか否かを判定する。選択部２３による選択が終了すると、医療従事者は操作部１４を操作する。すると、親機制御部１１は、記憶部１３を参照して、選択部２３が操作された選局ユニット２０の位置情報に関連付けて記憶されている子機識別情報を抽出する。そして、複数の選択部２３が操作された後に操作部１４が操作されると、親機制御部１１は、抽出した複数の子機識別情報を含む聴取対象信号を生成する。
【００３６】
親機制御部１１により生成された聴取対象信号は、親機インターフェース１２によりナースコール親機１０に接続されている全てのナースコール子機１へ出力される。各ナースコール子機１では、子機インターフェース７により聴取対象信号を入力する。各ナースコール子機１の子機制御部２は、聴取対象信号に含まれる子機識別情報が自装置の子機識別情報と一致するか否かを判定する。そして、聴取対象信号に含まれる子機識別情報が自装置の子機識別情報と一致すると子機制御部２にて判定した場合には、子機制御部２は子機マイクロホン４を動作させる。
【００３７】
この状態で、各ナースコール子機１の音声レベル判定部６は、子機マイクロホン４にて変換された音声信号を入力し、その音声信号のレベルが所定のレベル以上であるか否かを判定する。そして、入力した音声信号のレベルが所定のレベル以上であると音声レベル判定部６にて判定された場合には、音声レベル判定部６は、その音声信号に割り込み情報を付加して子機制御部２へと出力する。子機制御部２は、音声レベル判定部６から割り込み信号が付加された音声信号を入力し、自装置の子機識別情報を付加して子機インターフェース７へ出力する。従って、この音声信号には、割り込み情報および子機識別情報が付加されていることになる。一方、入力した音声信号のレベルが所定のレベル未満であると音声レベル判定部６にて判定された場合には、音声レベル判定部６は、その音声信号を子機制御部２へ出力しない。
【００３８】
また、ナースコール親機１０の親機制御部１１は、聴取対象信号に含まれる複数の子機識別情報のうち、所定の順番に従って聴取信号を生成するとともに、生成された聴取信号を所定の時間間隔で親機インターフェース１２により出力する。ここで、所定の順番とは、選択部２３が操作された順番であっても良いし、ベッド番号の順番であっても良い。また、所定の時間間隔とは、一つのナースコール子機１に対して聴取を行う時間であり、例えば３０秒程度である。すなわち、親機制御部１１は、最初に聴取を行うナースコール子機１の子機識別情報を含む聴取信号を３０秒間出力した後に、次に聴取を行うナースコール子機１の子機識別情報を含む聴取信号を３０秒間出力する。そして、親機制御部１１は、前述した動作を聴取の対象の全てのナースコール子機１に対して行う。
【００３９】
自装置の子機識別情報を含む聴取対象信号を入力しているナースコール子機１では、ナースコール親機１０から自装置の子機識別情報を含む聴取信号を入力したか否かを子機制御部２にて判定する。自装置の子機識別情報を含む聴取信号を入力したと子機制御部２にて判定した場合には、子機制御部２は、音声レベル判定部６を制御して、子機マイクロホン４から出力された音声信号をそのまま入力する。そして、子機制御部２は、音声レベル判定部６から入力した音声信号に自装置の子機識別情報を付加して子機インターフェース７へ出力する。
【００４０】
子機インターフェース７は、子機制御部２から入力した音声信号をナースコール親機１０へ出力する。ナースコール親機１０の親機インターフェース１２は、ナースコール子機１から音声信号を入力する。すると、親機制御部１１は、親機インターフェース１２が入力した音声信号を解析し、割り込み情報が含まれるか否かを判定する。入力した音声信号に割り込み情報が含まれていない場合には、親機制御部１１は、上述した所定の順番に従って聴取信号の生成を継続する。このとき、親機制御部１１は、親機スピーカー１７へ音声信号を出力し、親機スピーカー１７は入力した音声信号を音声に変換して外部へ出力する。また、親機制御部１１は、記憶部１３を参照して、音声信号に含まれる子機識別情報に関連付けて記憶されている位置情報を取得し、この位置情報によって特定される選局ユニット２０の選択部２３のランプを順番に点灯させる。
【００４１】
一方、入力した音声信号に割り込み情報が含まれている場合には、親機制御部１１は、親機スピーカー１７へ音声信号を出力し、親機スピーカー１７は入力した音声信号を音声に変換して外部へ出力する。また、親機制御部１１は、記憶部１３を参照して、音声信号に含まれる子機識別情報に関連付けて記憶されている位置情報を取得し、この位置情報によって特定される選局ユニット２０の選択部２３のランプを点灯させる。このように、所定の順番で各ナースコール子機１の子機マイクロホン４に入力した音声をナースコール親機１０の親機スピーカー１７から出力している状態で、聴取の対象である他のナースコール子機１の子機マイクロホン４が所定のレベル以上の音声を入力した場合に、ナースコール親機１０では、所定のレベル以上の音声を入力したナースコール子機１の聴取を行うことになる。
【００４２】
この状態で、所定のレベル以上の音声を入力したナースコール子機１の聴取が終了した場合には、親機制御部１１は、所定の順番での聴取を再開する。ここで、所定のレベル以上の音声を入力したナースコール子機１の聴取の終了は、所定の時間により終了するようにしても良いし、該当する選局ユニット２０の選択部２３の操作により終了するようにしても良い。また、聴取の再開は、割り込みが行われたナースコール子機１から再開するようにしても良いし、割り込みが行われたナースコール子機１の次のナースコール子機１から再開するようにしても良い。
【００４３】
例えば、「１０１−１」、「１０１−２」、「１０１−３」、「１０１−４」、「１０２−１」、「１０２−２」、「１０２−３」、「１０２−４」の子機識別情報により特定されるナースコール子機１に対して聴取を行う場合、医療従事者は、選局部１８により上記のナースコール子機１を指定し、操作部１４を操作して聴取を開始する。すると、ナースコール親機１０では、上述した子機識別情報を含む聴取対象信号を生成して全てのナースコール子機１へ出力する。上述した子機識別情報を持つナースコール子機１では、子機制御部２が子機マイクロホン４を動作させ、音声レベル判定部６が音声信号の音声レベルを判定する。
【００４４】
一方、ナースコール親機１０では、子機識別情報「１０１−１」を含む聴取信号を生成して出力する。子機識別情報「１０１−１」により特定されるナースコール子機１では、聴取信号を入力している間、子機マイクロホン４にて入力して変換された音声信号をナースコール親機１０へ出力する。次に、ナースコール親機１０は、子機識別情報「１０１−２」を含む聴取信号を生成して出力する。子機識別情報「１０１−２」により特定されるナースコール子機１では、聴取信号を入力している間、子機マイクロホン４にて入力して変換された音声信号をナースコール親機１０へ出力する。
【００４５】
この状態で、子機識別情報「１０２−４」により特定されるナースコール子機１の音声レベル判定部６が所定のレベル以上の音声信号が子機マイクロホン４により入力して変換されたと判定されると、このナースコール子機１の子機制御部２は、子機識別情報「１０２−４」および割り込み情報を含む音声信号を生成し、子機インターフェース７は、この音声信号をナースコール親機１０へ出力する。
【００４６】
割り込み情報を含む音声信号を入力したナースコール親機１０では、その音声信号を親機スピーカー１７から出力するとともに、音声信号に含まれる子機識別情報によって特定される選局ユニット２０のランプを点灯させる。そして、所定の時間が経過すると、親機制御部１１は、子機識別情報「１０１−３」を含む聴取信号を生成し、親機インターフェース１２により出力する。子機識別情報「１０１−３」により特定されるナースコール子機１では、聴取信号を入力している間、子機マイクロホン４にて入力して変換された音声信号をナースコール親機１０へ出力する。
【００４７】
このように、上述した子機識別情報により特定される全てのナースコール子機１の聴取が終了するまで、同様の動作が繰り返される。
【００４８】
以上詳しく説明したように、本実施形態によれば、ナースコール親機１０の選局部１８によって選択された複数のナースコール子機１を順次切り換えて、子機マイクロホン４から入力した音声をナースコール親機１０の親機スピーカー１７から出力するとともに、そのナースコール子機１を特定可能に選局部１８のランプにより表示するようにしている。このとき、親機スピーカー１７から音声の出力が行われていないナースコール子機１の子機マイクロホン４により変換されている音声信号のレベルを音声レベル判定部６によって判定し、その音声信号のレベルが所定のレベル以上であると音声レベル判定部６によって判定された場合に、そのナースコール子機１の子機マイクロホン４から入力した音声をナースコール親機１０の親機スピーカー１７から出力するとともに、そのナースコール子機１を特定可能に選局部１８のランプにより表示するようにしている。
【００４９】
これにより、医療従事者が患者の状態を確認しようとしている聴取中については、所定のレベル以上の音声を入力したナースコール子機１の音声が親機スピーカー１７から出力されるとともに、そのナースコール子機１が選局部１８により特定されるので、医療従事者は聴取の対象となる全ての患者の状態の変化に気付くことができる。従って、聴取中に、医療従事者が各患者の状態をできるだけ長時間に渡って確認することができる。
【００５０】
なお、前述した実施形態では、所定のレベルの値を操作部１４にて予め設定しているが、これに限定されない。例えば、所定のレベルの値を聴取中に変更できるようにしても良い。具体的には、所定のレベル以上の音声信号を出力しているナースコール子機１が多数存在するような場合に、操作部１４を操作して、所定のレベルの値を大きく変更すると、新たに設定された所定のレベル以上の音声信号を出力しているナースコール子機１の数を絞り込むことができる。また、所定のレベル以上の音声信号を出力しているナースコール子機１が全く存在しないような場合に、操作部１４を操作して、所定のレベルの値を小さく変更すると、新たに設定された所定のレベル以上の音声信号を出力しているナースコール子機１を増やすことができる。
【００５１】
また、前述した実施形態では、選局ユニット２０はボード形状のナースコール親機１０に設けられているが、これに限定されない。例えば、パーソナルコンピューターを用いたナースコール親機１０の表示ディスプレイに選局ユニットを表示するようにしても良い。
【００５２】
また、前述した実施形態では、音声レベル判定部６が各ナースコール子機１に設けられているが、これに限定されない。例えば、ナースコール親機１０や図示しない廊下灯などに音声レベル判定部６を設けるようにしても良い。ここで、各ナースコール子機１に音声レベル判定部６を設けた場合、ナースコール親機１０とナースコール子機１との通話路を常に形成する必要がなくなるため、ナースコール親機１０とナースコール子機１との通話路の数を少なくすることができる。一方、ナースコール親機１０に音声レベル判定部６を設けた場合、通話路の数を確保する必要はあるが、音声レベル判定部６を各ナースコール子機１に設ける必要がなくなる。
【００５３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５４】
１    ナースコール子機
２    子機制御部
３    呼出操作部
４    子機マイクロホン
５    子機スピーカー
６    音声レベル判定部
７    子機インターフェース
１０    ナースコール親機
１１    親機制御部
１２    親機インターフェース
１３    記憶部
１４    操作部
１５    報知部
１６    親機マイクロホン
１７    親機スピーカー
１８    選局部
２０    選局ユニット
２１    ベッド番号表示欄
２２    氏名カード装着部
２３    選択部
【図１】
0005916213.tif 000002
【図２】
0005916213.tif 000003